(57)【要約】【課題】照明装置の配置位置、あるいは第三者の立つ位置に係わらず、第三者が表示入力画面の表示内容を覗き見ることを防止することができる自動取引装置を提供する。【解決手段】情報を表示すると共に、タッチパネル機能を備えた顧客操作部１１を備え、該顧客操作部１１に対して照明装置２２からの光が照射される位置に設置された自動取引装置１において、顧客操作部１１の輝度を所定のタイミングで下げる制御を行う主制御部１８を設ける。自動取引装置１は更に、顧客操作部１１近傍の明るさを検知する照度センサ２０を備え、主制御部１８は、照度センサ２０の検知結果に基づいて顧客操作部１１の輝度を決定する。【選択図】図１
2007293709.tif 000002
【特許請求の範囲】
【請求項１】
情報を表示すると共に、タッチパネル機能を備えた表示入力画面を備え、該表示入力画面に対して外部発光体からの光が照射される位置に設置された自動取引装置において、
前記表示入力画面の輝度を所定のタイミングで下げる制御を行う制御手段を設けたことを特徴とする自動取引装置。
【請求項２】
前記表示入力画面近傍の明るさを検知する明るさ検知手段を備え、
前記制御手段は、前記明るさ検知手段の検知結果に基づいて前記表示入力画面の輝度を決定する請求項１記載の自動取引装置。
【請求項３】
情報を表示すると共に、タッチパネル機能を備えた表示入力画面を備え、該表示入力画面に対して外部発光体からの光が照射される位置に設置された自動取引装置において、
前記外部発光体の輝度を制御可能であると共に、前記外部発光体の輝度を所定のタイミングで上げる制御を行う制御手段を設けたことを特徴とする自動取引装置。
【請求項４】
前記表示入力画面近傍の明るさを検知する明るさ検知手段を備え、
前記制御手段は、前記明るさ検知手段の検知結果に基づいて前記外部発光体の輝度を決定する請求項３記載の自動取引装置。
【請求項５】
前記所定のタイミングは、前記表示入力画面が暗証番号の入力画面に切り替わるタイミングである請求項１、又は請求項３記載の自動取引装置。
【発明の詳細な説明】
【技術分野】
【０００１】
本発明は、情報を表示すると共に、タッチパネル機能を備えた表示入力画面を備え、該表示入力画面に対して外部発光体からの光が照射される位置に設置された自動取引装置に関する。
【背景技術】
【０００２】
従来、金融機関等で使用されている自動取引装置においては、表示入力画面に表示されている情報を取引を行う顧客の両側に位置する第三者が覗き見ることを防止するために種々の対策が採られている。
【０００３】
このような対策を施した自動取引装置として、タッチパネル付表示部の両斜め後方で、かつ、該タッチパネル付表示部よりも高い位置に照明装置を設けたものがある。このような装置においては、自動取引装置を操作する利用者においては、照明装置の光がタッチパネル付表示部に反射してタッチパネル付表示部の表示内容が見えにくくなることがなく、かつ両側からの照明による良好な手元照明が実現できる。一方、利用者の両側に位置する第三者には、水平方向において、タッチパネル付表示部を介して向い合う照明装置の光が反射光として第三者の目に入るので、タッチパネル付表示部の表示内容を判読することをできなくすることができる（例えば、特許文献１参照。）。
【特許文献１】特開平７−３２０１１３号公報
【発明の開示】
【発明が解決しようとする課題】
【０００４】
上記従来の自動取引装置においては、利用者の両側に位置する第三者が情報を覗き見ることを防止するために、照明装置を、該照明装置から発した光がタッチパネル付表示部に反射して反射光として第三者の目に入る位置に配置する必要があった。その結果、照明装置の配置位置に制約があるという問題点があった。また、第三者が立つ位置によっては反射光が第三者の目に入らない可能性があり、そのような場合には、第三者に対してタッチパネル付表示部の表示内容を判読することができない状態とすることが困難であるという問題点があった。
【課題を解決するための手段】
【０００５】
上記課題を解決するために本発明で設けた解決手段は、情報を表示すると共に、タッチパネル機能を備えた表示入力画面を備え、該表示入力画面に対して外部発光体からの光が照射される位置に設置された自動取引装置において、前記表示入力画面の輝度を所定のタイミングで下げる制御を行う制御手段を設けたものである。
【発明の効果】
【０００６】
本発明によれば、表示入力画面の輝度を下げることにより、表示入力画面が暗くなる。これにより外部発光体から発せられ表示入力画面に映り込む光がまぶしく感じられるようになり、取引を行う顧客の両側に位置する第三者が表示入力画面に表示されている表示内容を覗き見ても判読することができない。その結果、照明の配置位置、あるいは第三者の立つ位置に係わらず、第三者が表示入力画面の表示内容を覗き見ることを防止することができる。
【発明を実施するための最良の形態】
【０００７】
以下、本発明の実施例を図面に従って説明する。なお、各図面に共通する要素には同一の符号を付す。
【実施例１】
【０００８】
始めに自動取引装置の構成について説明する。図１は実施例１の自動取引装置の構成を示す説明図、図２は実施例１の自動取引装置を示す外観斜視図である。
【０００９】
図１、図２において、自動取引装置１には、カード処理部２と、明細票処理部６と、通帳記帳部４と、紙幣入出金部８と、硬貨入出金部９と、表示入力画面である顧客操作部１１と、記憶部１５と、インターフェース部１６と、電源部１９と、接近検知器１７と、明るさ検知手段である照度センサ２０と、制御手段である主制御部１８が設けられている。
【００１０】
カード処理部２は、顧客の所有するＩＤカードが挿入された場合に、ＩＤカードに記憶されている顧客の口座番号や氏名等の顧客情報、金融機関のコードを読み出す機能を有する。カード処理部２の前面側にはカード挿入排出口２ａが設けられており、ここでＩＤカードの挿入および排出が行なわれる。そしてカード挿入排出口２ａには、排出されたＩＤカードが顧客により抜き取られたことを検出する図示せぬ検出センサが設けられている。明細票処理部６は、取引明細の印字を行って顧客に対して取引明細票の発行処理を行なうものである。
【００１１】
通帳記帳部４は、通帳挿入排出口４ａから挿入される顧客の通帳に取引内容を印字するもので、通帳に記載された情報を読み取る機能や情報の更新を行なう機能、さらには印字頁行の検出や改頁を行う機能を有する。ここで処理された通帳は通帳挿入排出口４ａに排出される。そして通帳挿入排出口４ａには、排出された通帳が顧客により抜き取られたことを検出する図示せぬ検出センサが設けられている。
【００１２】
紙幣入出金部８は、入金取引時に顧客から入金される紙幣を真偽鑑別、計数し、搬送して図示せぬ金庫に金種別に収納すると共に、出金取引時に顧客に支払われる紙幣を金庫から繰出すものである。紙幣入出金部８と紙幣入出金口とは図示せぬ紙幣搬送路により接続されている。紙幣入出金口は、顧客が紙幣を投入し、または顧客に支払われる紙幣が送り込まれる部分であり、紙幣入出金口の上部には開閉可能なシャッター８ａが設けられており、紙幣入出金口の内部には、紙幣が顧客により抜き取られたことを検出する図示せぬ検出センサが設けられている。
【００１３】
硬貨入出金部９は、入金取引時に顧客から入金される硬貨を真偽鑑別、計数し、搬送して図示せぬ金庫に金種別に収納すると共に、出金取引時に顧客に支払われる硬貨を金庫から繰出すものである。硬貨入出金部９と硬貨入出金口とは図示せぬ硬貨搬送路により接続されている。硬貨入出金口は、顧客が硬貨を投入し、または顧客に支払われる硬貨が送り込まれる部分であり、硬貨入出金口の上部には開閉可能なシャッター９ａが設けられており、硬貨入出金口の内部には、硬貨が顧客により抜き取られたことを検出する図示せぬ検出センサが設けられている。
【００１４】
顧客操作部１１は、自動取引装置１の前部に設けられており、この顧客操作部１１は顧客に対して知らせる操作誘導等の情報を表示するＬＣＤ画面１０と、取引科目や金額等の情報を画面に触れることで自動取引装置１に対して入力することができるタッチパネル機能を備えたタッチパネル部２５とで構成される。従って、ＬＣＤ画面１０には取引科目である「ご入金」、「ご出金」、「お振込み」、「残高照会」、「通帳記帳」等が表示され、タッチパネル部２５により、顧客は所望の表示部分に軽く触れることで取引科目を選択することができ、また暗証番号や、金額の入力を行うことができる。
【００１５】
なお、ＬＣＤ画面１０には、該ＬＣＤ画面１０の動作を制御するＬＣＤ制御基板２１が接続されており、このＬＣＤ制御基板２１は、主制御部１８の指示を受けてＬＣＤ画面１０の輝度を調整したり、表示画面の切り替えを行う。また、タッチパネル部２５には、該タッチパネル部２５を制御するタッチパネル部制御基板２６が接続されており、このタッチパネル部制御基板２６は、タッチパネル部２５の接触された箇所に応じて変化する信号を主制御部１８に送信する。
【００１６】
記憶部１５は、各種の制御を行なうためのプログラムが記憶されたＲＡＭやＲＯＭまたはハードディスク等で構成されている。インターフェース部１６は、上位装置であるホストコンピュータ２４との接続口である。電源部１９は、自動取引装置１内の各部に電源を供給する。接近検知器１７は、自動取引装置１の前部に設けられており、顧客が自動取引装置１へ接近したことを検知する。
【００１７】
そして前記照度センサ２０は、図２に示すように、顧客操作部１１の近傍に設けられおり、該顧客操作部１１近傍の明るさの程度を検知する。この照度センサ２０は、図示せぬ受光素子と、該受光素子に接続された図示せぬ受光回路とから構成され、受光素子は、光を受けると、受光量に応じた値を受光回路にアナログ値で送信する。そして受光回路は該アナログ値をデジタル値に変換して主制御部１８に送信する。このように照度センサ２０を顧客操作部１１近傍に設けることにより、顧客操作部１１近傍の明るさの程度を主制御部１８が認識することができる。
【００１８】
主制御部１８は、マイクロコンピュータ等で構成されており、カード処理部２と、明細票処理部６と、通帳記帳部４と、紙幣入出金部８と、硬貨入出金部９と、記憶部１５と、インターフェース部１６と、電源部１９と、接近検知器１７と、照度センサ２０と、ＬＣＤ制御基板２１と、タッチパネル部制御基板２６と接続されており、各部を制御している。
【００１９】
ホストコンピュータ２４は、自動取引装置１のインターフェース部１６と通信回線１３により接続され、顧客毎の口座番号や預貯金残高情報等を記憶している図示せぬ記憶部を有する。
【００２０】
なお、自動取引装置１が設置されている、例えば店舗、あるいはブース等においては、顧客操作部１１を照らすことが可能な位置、例えば天井面に外部発光体である照明装置２２が配置されている。この照明装置２２は例えば蛍光灯である発光体１４を備えている。
【００２１】
次に上記構成における自動取引装置１の動作について説明する。ここでは顧客が出金取引を選択した場合における、顧客操作部１１のＬＣＤ画面の輝度を調整する動作について図３に示すフローチャートに従って説明する。なお、今回の取引では通帳は自動取引装置１内に挿入されないものとする。図３、図４は実施例１の自動取引装置の出金取引時の動作を示すフローチャートである。
【００２２】
図１、図２において、顧客が自動取引装置１に接近してくると接近検知器１７によりその接近が検知され、主制御部１８に顧客の接近を知らせることを示す信号が送信される。主制御部１８はこの信号を受けてＬＣＤ制御基板２１を介して顧客操作部１１のＬＣＤ画面１０に顧客誘導画面を表示させる。
【００２３】
ここで顧客が「ご出金」を選択し、顧客操作部１１の「ご出金」に触れると、図３、図４に示すフローチャートが開始され、主制御部１８は出金取引処理を実行する。従って、ステップＳ１で主制御部１８はＬＣＤ制御基板２１を介して顧客操作部１１のＬＣＤ画面１０に通帳の挿入案内とＩＤカードの挿入案内を表示させ、ステップＳ２へと進み、ＩＤカードが挿入されるのを待つ。顧客が挿入案内に従ってＩＤカードをカード挿入排出口２ａに挿入するとステップＳ３へと進み、主制御部１８はＬＣＤ制御基板２１を介して顧客操作部１１のＬＣＤ画面１０に出金金額を入力する画面を表示させる。
【００２４】
続けて主制御部１８はステップＳ４へと進み、出金金額が入力されるのを待つ。そして主制御部１８はタッチパネル部制御基板２６から入力された出金金額を示す信号を受信すると、図示せぬ記憶部にＩＤカードから読み取った口座番号と対応させた状態で記憶しておくと共に、ステップＳ５へと進み、ＬＣＤ制御基板２１を介して顧客操作部１１のＬＣＤ画面１０に暗証番号を入力する画面を表示させる。
【００２５】
続けて主制御部１８はステップＳ６へと進み、照度センサ２０から明るさの程度に応じた値を受信し、該受信した値に基づき、顧客操作部１１の周囲の明るさの程度を判断する。
【００２６】
ステップＳ７で主制御部１８はステップＳ６で判断した周囲の明るさの程度に基づきＬＣＤ画面１０の輝度を決定し、該輝度を示す輝度調整信号を作成し、ＬＣＤ制御基板２１に送信する。なお、この調整は輝度を下げることにより行われ、前記輝度は現在の顧客操作部１１の周囲の明るさにおいて、照明装置２２の発光体１４から発せられ顧客操作部１１のＬＣＤ画面１０に映り込む光を顧客の両側に位置する第三者はまぶしく感じ、ＬＣＤ画面１０に表示されている表示内容を判読することができない値に決定される。
【００２７】
ＬＣＤ制御基板２１は輝度調整信号を受信すると、該輝度調整信号を基づき、輝度のレベルを決定して顧客操作部１１のＬＣＤ画面１０の輝度を前記輝度レベルとなるように調整する。
【００２８】
これにより顧客操作部１１は調整前よりも暗くなり、照明装置２２の発光体１４から発せられ顧客操作部１１のＬＣＤ画面１０に映り込む光を顧客の両側に位置する第三者はまぶしく感じ、ＬＣＤ画面１０に表示されている表示内容を判読することができない状態となる。また、顧客操作部１１に表示されている情報を盗撮しようとしても、顧客操作部１１に対する照明装置２２からの強い光の映り込みにより、撮影された画像は判読することができないものとなる。
【００２９】
続けて主制御部１８はステップＳ８へと進み、暗証番号が入力されるのを待つ。そして主制御部１８はタッチパネル部制御基板２６から入力された暗証番号を示す信号を受信すると、顧客操作部１１のＬＣＤ画面１０の明るさを通常の状態へと戻すためにステップＳ９へと進む。そしてステップＳ９で主制御部１８は照度センサ２０から明るさの程度に応じた値を受信し、該受信した値に基づき、顧客操作部１１の周囲の明るさの程度を判断する。
【００３０】
ステップＳ１０で主制御部１８はステップＳ９で判断した周囲の明るさの程度に基づきＬＣＤ画面１０の輝度を決定し、該輝度を示す輝度調整信号を作成し、ＬＣＤ制御基板２１に送信する。なお、この調整は輝度を上げることにより行われ、前記輝度は現在の顧客操作部１１の周囲の明るさにおいて、照明装置２２の発光体１４から発せられ顧客操作部１１のＬＣＤ画面１０に映り込む光を取引を行う顧客はまぶしく感じず、ＬＣＤ画面１０に表示されている表示内容を見やすいと感じる値に決定される。
【００３１】
ＬＣＤ制御基板２１は輝度調整信号を受信すると、該輝度調整信号を基づき輝度のレベルを決定して顧客操作部１１のＬＣＤ画面１０の輝度を前記輝度レベルとなるように調整する。
【００３２】
これにより顧客操作部１１は調整前と同様に明るくなり、照明装置２２の発光体１４から発せられ顧客操作部１１のＬＣＤ画面１０に映り込む光を取引を行う顧客はまぶしく感じず、ＬＣＤ画面１０に表示されている表示内容が見やすくなる。
【００３３】
続けて主制御部１８はステップＳ１１へと進み、顧客による入力、及びＩＤカードからの情報の読み取り動作により得られた情報について、ホストコンピュータ２４に対して問い合わせを行う。そしてステップＳ１２へと進みホストコンピュータ２４からの回答を待つ。ホストコンピュータ２４が口座番号と暗証番号の確認を行うと共に、出金金額と取引口座の残高との照合を行い、自動取引装置１へと通信回線１３を介して送信する。自動取引装置１の主制御部１８はホストコンピュータ２４から回答を受信すると、ステップＳ１３へと進む。
【００３４】
ここで「取引可」を受信した場合にはステップＳ１４へと進み、一方「否」の場合にはステップＳ１５へと進む。ここでステップＳ１３からステップＳ１４へと進んだ場合、主制御部１８はＩＤカード、取引内容を印字した明細票、支払い紙幣、及び硬貨の排出を行う。すなわち、ＩＤカードのカード挿入排出口２ａへの移動、明細票の図示せぬ明細票排出口への移動、支払い紙幣の紙幣入出金口への移動、及び支払い硬貨の硬貨入出金口への移動が行なわれる。そしてカード挿入排出口２ａからＩＤカードの排出を行い、それと共に明細票排出口から明細票の排出を行う。
【００３５】
これにより、顧客はＩＤカード、及び明細票を自動取引装置１から受け取る。また、自動取引装置１は紙幣入出金口のシャッター８ａ、及び硬貨入出金口のシャッター９ａを開き、紙幣、及び硬貨を抜き取り可能状態とする。これにより、顧客は紙幣、及び硬貨を自動取引装置１から受け取り、今回の取引は終了となる。また取引が成立すると、主制御部１８はインターフェース部１６、及び通信回線１３を介してホストコンピュータ２４に取引情報を送信し、ホストコンピュータ２４は該当する口座番号の取引情報を更新する。
【００３６】
一方、上記ステップＳ１３からステップＳ１５へと進んだ場合、主制御部１８はＬＣＤ制御基板２１を介して顧客操作部１１のＬＣＤ画面１０に取引が不成立であることを示す情報を表示させると共に、カード挿入排出口２ａからＩＤカードの排出を行う。
【００３７】
以上本発明の実施例１においては、顧客操作部１１のＬＣＤ画面１０の輝度を下げることにより、ＬＣＤ画面１０が暗くなる。これにより照明装置２２の発光体１４から発せられＬＣＤ画面１０に映り込む光がまぶしく感じられるようになり、取引を行う顧客の両側に位置する第三者がＬＣＤ画面１０に表示されている表示内容を覗き見ても判読することができない。その結果、照明装置２２の配置位置、あるいは第三者の立つ位置に係わらず、第三者が顧客操作部１１のＬＣＤ画面１０の表示内容を覗き見ることを防止することができる。
【００３８】
また、周囲の明るさの程度に応じてＬＣＤ画面１０の輝度を決定するので、照明装置２２から発せられＬＣＤ画面１０に映り込む光の明るさを、取引を行う顧客は顧客操作部１１の表示内容を判読することができ、一方、顧客の両側に位置する第三者からでは判読することができない状態とするための適切な明るさとすることができる。
【００３９】
なお、顧客操作部１１に暗証番号の入力案内を表示する際に、ＬＣＤ画面１０の輝度の調整入力を行うことができる画面を共に表示させ、顧客自身でＬＣＤ画面１０の輝度の調整を行えるようにしても良い。これにより、第三者が顧客操作部１１の表示内容を覗き見ることを防止することができると共に、顧客それぞれが顧客操作部１１の表示内容を最も見やすい明るさで見ることができる。
【実施例２】
【００４０】
次に本発明の実施例２について説明する。なお、上記実施例１と同様の箇所には同一符号を付し、説明は省略する。図５は実施例２の自動取引装置の構成を示す説明図である。
【００４１】
本実施例においては、顧客操作部１１のＬＣＤ画面１０の輝度を調整するのではなく、照明装置の発光体の輝度を調整する。従って、図５に示すように、照明装置３２には、照明装置３２全体の動作を制御する発光体制御基板３３が設けられており、発光体３４は発光体制御基板３３の制御により輝度を変化させる。また発光体制御基板３３は自動取引装置３１の主制御部１８と接続されており、該主制御部１８の指示を受けて発光体３４の輝度を調整する。
【００４２】
なお、その他の構成は実施例１と同様であるので説明は省略する。
次に上記構成における自動取引装置３１の動作について説明する。ここでは顧客が出金取引を選択した場合における、照明装置３２の発光体３４の輝度を調整する動作について図６、図７に示すフローチャートに従って説明する。なお、今回の取引では通帳は自動取引装置３１内に挿入されないものとする。図６、図７は実施例２の自動取引装置の出金取引時の動作を示すフローチャートである。
【００４３】
図５において、顧客が自動取引装置３１に接近してくると接近検知器１７によりその接近が検知され、主制御部１８に顧客の接近を知らせることを示す信号が送信される。主制御部１８はこの信号を受けてＬＣＤ制御基板２１を介して顧客操作部１１のＬＣＤ画面１０に顧客誘導画面を表示させる。
【００４４】
ここで顧客が「ご出金」を選択し、顧客操作部１１の「ご出金」に触れると、図６、図７に示すフローチャートが開始され、主制御部１８は出金取引処理を実行する。なお、ステップＳ２１からステップＳ２６までの処理は上記実施例１のステップＳ１からステップＳ６までの処理と同様であるので説明は省略する。従って、ステップＳ２７から説明する。
【００４５】
ステップＳ２７で主制御部１８はステップＳ２６で判断した周囲の明るさの程度に基づき照明装置３２の発光体３４の輝度を決定し、該輝度を示す輝度調整信号を作成し、発光体制御基板３３に送信する。なお、この調整は輝度を上げることにより行われ、前記輝度は現在の顧客操作部１１の周囲の明るさにおいて、照明装置３２の発光体３４から発せられ顧客操作部１１のＬＣＤ画面１０に映り込む光を顧客の両側に位置する第三者がまぶしく感じ、ＬＣＤ画面１０に表示されている表示内容を判読することができない値に決定される。
【００４６】
発光体制御基板３３は輝度調整信号を受信すると、該輝度調整信号を基づき、輝度のレベルを決定して発光体３４の輝度を前記輝度レベルとなるように調整する。
【００４７】
これにより発光体３４は調整前よりも明るくなり、照明装置３２の発光体３４から発せられ顧客操作部１１のＬＣＤ画面１０に映り込む光の照度が高くなり、ＬＣＤ画面１０に映り込む光を顧客の両側に位置する第三者はまぶしく感じ、ＬＣＤ画面１０に表示されている表示内容を判読することができない状態となる。また、顧客操作部１１に表示されている情報を盗撮しようとしても、顧客操作部１１に対する照明装置３２からの強い光の映り込みにより、撮影された画像は判読することができないものとなる。
【００４８】
続けて主制御部１８はステップＳ２８へと進み、暗証番号が入力されるのを待つ。そして主制御部１８はタッチパネル部制御基板２６から入力された暗証番号を示す信号を受信すると、照明装置３２の発光体３４の明るさを通常の状態へと戻すためにステップＳ２９へと進む。そしてステップＳ２９で主制御部１８は照度センサ２０から明るさの程度に応じた値を受信し、該受信した値に基づき顧客操作部１１の周囲の明るさの程度を判断する。
【００４９】
ステップＳ３０で主制御部１８はステップＳ２９で判断した周囲の明るさの程度に基づき照明装置３２の発光体３４の輝度を決定し、該輝度を示す輝度調整信号を作成し、発光体制御基板３３に送信する。なお、この調整は輝度を下げることにより行われ、前記輝度は現在の顧客操作部１１の周囲の明るさにおいて、照明装置３２の発光体３４から発せられ顧客操作部１１のＬＣＤ画面１０に映り込む光を取引を行う顧客はまぶしく感じず、ＬＣＤ画面１０に表示されている表示内容を見やすいと感じる値に決定される。
【００５０】
発光体制御基板３３は輝度調整信号を受信すると、該輝度調整信号を基づき、輝度のレベルを決定して照明装置３２の発光体３４の輝度を前記輝度レベルとなるように調整する。
【００５１】
これにより照明装置３２の発光体３４は調整前と同様の明るさに戻り、照明装置３２の発光体３４から発せられ顧客操作部１１のＬＣＤ画面１０に映り込む光を取引を行う顧客はまぶしく感じず、ＬＣＤ画面１０に表示されている表示内容が見やすくなる。
【００５２】
なお、ステップＳ３１からステップＳ３５までの処理も、上記実施例１のステップＳ１１からステップＳ１５までの処理と同様であるので説明は省略する。
【００５３】
以上本発明の実施例２においては、自動取引装置３１が照明装置３２の発光体３４の輝度を制御可能とし、照明装置３２の発光体３４の輝度を所定のタイミングで上げることにより、実施例１と同様に、照明装置３２の発光体３４から発せられＬＣＤ画面１０に映り込む光がまぶしく感じられるようになり、取引を行う顧客の両側に位置する第三者がＬＣＤ画面１０に表示されている表示内容を覗き見ても判読することができない。その結果、照明装置３２の配置位置、あるいは第三者の立つ位置に係わらず、第三者が顧客操作部１１のＬＣＤ画面１０の表示内容を覗き見ることを防止することができる。
【００５４】
また、周囲の明るさの程度に応じて照明装置３２の発光体３４の輝度を決定するので、照明装置３２から発せられＬＣＤ画面１０に映り込む光の明るさを、取引を行う顧客は顧客操作部１１の表示内容を判読することができ、一方、顧客の両側に位置する第三者からでは判読することができない状態とするための適切な明るさとすることができる。
【００５５】
なお、顧客操作部１１に暗証番号の入力案内を表示する際に、照明装置３２の発光体３４の輝度の調整入力を行うことができる画面を共に表示させ、顧客自身で照明装置３２の発光体３４の輝度の調整を行えるようにしても良い。これにより、第三者が顧客操作部１１の表示内容を覗き見ることを防止することができると共に、顧客それぞれが顧客操作部１１の表示内容を最も見やすい明るさで見ることができる。
【図面の簡単な説明】
【００５６】
【図１】実施例１の自動取引装置の構成を示す説明図である。
【図２】実施例１の自動取引装置を示す外観斜視図である。
【図３】実施例１の自動取引装置の出金取引時の動作を示すフローチャートである。
【図４】実施例１の自動取引装置の出金取引時の動作を示すフローチャートである。
【図５】実施例２の自動取引装置の構成を示す説明図である。
【図６】実施例２の自動取引装置の出金取引時の動作を示すフローチャートである。
【図７】実施例２の自動取引装置の出金取引時の動作を示すフローチャートである。
【符号の説明】
【００５７】
１  自動取引装置
１０  ＬＣＤ画面
１１  顧客操作部
１４  発光体
１８  主制御部
２０  照度センサ
２２  照明装置
３２  照明装置
３４  発光体
【図１】
2007293709.tif 000003
【図２】
2007293709.tif 000004
【図３】
2007293709.tif 000005
【図４】
2007293709.tif 000006
【図５】
2007293709.tif 000007
【図６】
2007293709.tif 000008
【図７】
2007293709.tif 000009